(57)【要約】【課題】簡単な構造で、信号記録再生装置の冷却効果を高めることができるディスクカートリッジを提供する。【解決手段】ケース４と、ケース４内に回転自在に収納された情報記録媒体であるディスク２とを備え、ケース４は、少なくとも片面に、ディスク２の一部を露出する開口部３が形成されており、ディスク２の両面に対向するケース４の両面間の方向を高さ方向とし、ケース４のうち、開口部３に露出したディスク２の外周部に対向した内周面を持つ部分を開口部端部２０とすると、開口部端部２０に、高さ方向に突出した突起部が形成されている。【選択図】図８
2007095165.tif 000002
【特許請求の範囲】
【請求項１】
ケースと、
前記ケース内に回転自在に収納された情報記録媒体であるディスクとを備え、
前記ケースは、少なくとも片面に、前記ディスクの一部を露出する開口部が形成されており、
前記ディスクの両面に対向する前記ケースの両面間の方向を高さ方向とし、前記ケースのうち、前記開口部に露出した前記ディスクの外周部に対向した内周面を持つ部分を開口部端部とすると、
前記開口部端部に、前記高さ方向に突出した突起部が形成されていることを特徴とするディスクカートリッジ。
【請求項２】
前記突起部は、前記高さ方向において、前記ケースの前記開口部の形成面と略一致する位置まで突出している請求項１に記載のディスクカートリッジ。
【請求項３】
前記突起部の側面のうち前記ディスク側の側面は、前記ケースの前記開口部の形成面側に向かうにつれて、前記ディスクの回転中心側に向かうように傾斜している請求項１に記載のディスクカートリッジ。
【請求項４】
前記突起部は、前記ディスク外周の接線のうち前記ディスクの回転方向に延びた線に略直交する面を含んでいる請求項１に記載のディスクカートリッジ。
【請求項５】
前記ディスクカートリッジは、情報信号の読み書きをする光ピックアップを備えたディスクドライブに用いるものであり、前記突起部は、前記光ピックアップが通過する領域以外の領域に形成されている請求項１から４のいずれかに記載のディスクカートリッジ。
【請求項６】
ケースと、
前記ケース内に回転自在に収納された情報記録媒体であるディスクとを備え、
前記ケースは、少なくとも片面に、前記ディスクの一部を露出する開口部が形成されており、
前記ケースのうち、前記開口部に露出した前記ディスクの外周部に対向した内周面を持つ部分を開口部端部とすると、
前記開口部端部に、前記ディスクの回転中心側に突出した突起部が形成されており、
前記突起部は、前記ディスク外周の接線のうち前記ディスクの回転方向に延びた線に略直交する面を含んでいることを特徴とするディスクカートリッジ。
【発明の詳細な説明】
【技術分野】
【０００１】
本発明は、磁気ディスク、光ディスク等のディスク状の信号記録媒体を収納するディスクカートリッジに関する。
【背景技術】
【０００２】
信号記録再生装置は、信号記録媒体である磁気ディスク、光ディスク等にオーディオ信号、文字信号および映像信号等の情報信号を記録し、再生する装置である。例えば、光出力による信号記録再生装置は、レーザ光を光ディスク等の信号記録面に照射することで記録マークを記入して、情報信号を記録する。
【０００３】
また、再生は信号記録面にレーザ光を照射し、レーザ光の反射光を光検出器で受光することにより行なう。そのため、信号記録再生装置は、レーザ光の出射方向を規定する半導体レーザ素子を備えている。
【０００４】
近年情報の高密度化が進むにつれて、記録再生の高速化が要求されている。記録再生の高速化のためには、出力の高い半導体レーザ素子を用いる必要がある。そのため、半導体レーザ発振時に発生する熱量も大きくなる。例えば、現在の信号記録再生装置に使用されている半導体レーザ素子では、発振時の温度は８０〜９０℃程度に達する。
【０００５】
また、近年、信号記録再生装置は、薄型ノートパソコン等に用いられ、信号記録再生装置の小型化および高密度化が進んでいる。それにより、信号記録再生装置全体も半導体レーザ素子の発熱の影響を受け、高温条件下で動作することになる可能性もある。
【０００６】
しかも、半導体レーザ素子は、動作温度が高温になると出力が減少するため、その分、駆動電流を増大させなければならない。したがって、半導体レーザ素子は、高温による劣化に加え、駆動電流の増大による劣化が加わり、素子寿命が更に短くなる。
【０００７】
このように、信号記録再生装置においては、発生する熱をいかに放熱するかは極めて重要な課題であり、従来から種々の提案がなされている。例えば、特許文献１には、樹脂またはセラミックからなる半導体レーザ素子の筐体部またはフレーム構造を、熱容量の大きい金属体等（放熱板）に接触させることが提案されている。
【０００８】
具体的には、半導体レーザ素子、受光素子、プリズムおよびレンズ等からなる光学系を収納した可動ボビンと、放熱板とを一体に成型している。また、特許文献２にも放熱板を用いて放熱を促すことが提案されている。
【０００９】
さらに、金属等の熱伝導性を有する材料により形成された信号記録再生装置のカバーを放熱板として用いることが提案されている（例えば、特許文献３参照）。
【特許文献１】特開平８−２８７４９９号公報
【特許文献２】特開平１１−１６２０２号公報
【特許文献３】特開２００３−２２５５５号公報
【発明の開示】
【発明が解決しようとする課題】
【００１０】
しかしながら、特許文献１、２のように放熱板を用いると、別途放熱板を形成し配備するために構造が複雑になる上、製造工程における工数が増大するため高コストになる。
【００１１】
特許文献３の構成では、このような問題は解消できるものの、この構成では、信号記録再生装置のカバーの面積により放熱量が決定されるので、信号記録再生装置の小型化および薄型化には障害になる。
【００１２】
すなわち、前記のような従来の技術によれば、信号記録再生装置に放熱板を設置したり、放熱特性の高い部材を用いる等によって半導体レーザ素子を冷却しているが、今後ますます高密度化し、小型化する前記信号記録再生装置の放熱対策とするには放熱性能に限界があった。
【００１３】
本発明は、前記のような従来の問題を解決するものであり、簡単な構造で、信号記録再生装置の冷却効果を高めることができるディスクカートリッジを提供することを目的とする。
【課題を解決するための手段】
【００１４】
前記目的を達成するために、本発明の第１のディスクカートリッジは、ケースと、前記ケース内に回転自在に収納された情報記録媒体であるディスクとを備え、前記ケースは、少なくとも片面に、前記ディスクの一部を露出する開口部が形成されており、前記ディスクの両面に対向する前記ケースの両面間の方向を高さ方向とし、前記ケースのうち、前記開口部に露出した前記ディスクの外周部に対向した内周面を持つ部分を開口部端部とすると、前記開口部端部に、前記高さ方向に突出した突起部が形成されていることを特徴とする。
【００１５】
本発明の第２のディスクカートリッジは、ケースと、前記ケース内に回転自在に収納された情報記録媒体であるディスクとを備え、前記ケースは、少なくとも片面に、前記ディスクの一部を露出する開口部が形成されており、前記ケースのうち、前記開口部に露出した前記ディスクの外周部に対向した内周面を持つ部分を開口部端部とすると、前記開口部端部に、前記ディスクの回転中心側に突出した突起部が形成されており、前記突起部は、前記ディスク外周の接線のうち前記ディスクの回転方向に延びた線に略直交する面を含んでいることを特徴とする。
【発明の効果】
【００１６】
本発明によれば、簡単な構造で、信号記録再生装置の冷却効果を高めることができる。
【発明を実施するための最良の形態】
【００１７】
本発明によれば、ディスクの回転によって生じた気流がディスクカートリッジに設置した突起部に当たり、発熱部に向かう気流の量が増加するので、信号記録再生装置の冷却効果を高めることができる。
【００１８】
前記本発明の第１のディスクカートリッジにおいては、前記突起部は、前記高さ方向において、前記ケースの前記開口部の形成面と略一致する位置まで突出していることが好ましい。この構成によれば、ディスク回転による気流が当る面積が増加するので、冷却効果をより高めることができる。
【００１９】
また、前記突起部の側面のうち前記ディスク側の側面は、前記ケースの前記開口部の形成面側に向かうにつれて、前記ディスクの回転中心側に向かうように傾斜していることが好ましい。この構成によれば、発熱部に向かうディスク回転による気流の量が増加するように突起部が傾斜しているので、冷却効果をより高めることができる。
【００２０】
また、前記突起部は、前記ディスク外周の接線のうち前記ディスクの回転方向に延びた線に略直交する面を含んでいることが好ましい。この構成によれば、ディスク回転による気流の進行方向に略直交する面が突起部にあるので、発熱部に向かう気流の量を増加させることができ、冷却効果をより高めることができる。
【００２１】
また、前記ディスクカートリッジは、情報信号の読み書きをする光ピックアップを備えたディスクドライブに用いるものであり、前記突起部は、前記光ピックアップが通過する領域以外の領域に形成されていることが好ましい。
【００２２】
本発明の実施の形態を説明する前に、図１から図７を参照しながら従来のディスクカートリッジ（以下、「カートリッジ」という）を比較例として説明する。
【００２３】
図１は、ディスクドライブ３０の斜視図である。図１は、内部構造、特にカートリッジ３１の位置を示すために部分的に破断して図示している。カートリッジ３１は、ケース４内に情報記録媒体であるディスク２が回転自在に収納されている。ディスク２は、スピンドルモータ９のモータシャフト５の回転により回転する。
【００２４】
カートリッジ３１は、カートリッジ挿入口６からディスクドライブ３０内に挿入される。図１のカートリッジ３１の位置は、光ピックアップ１０が情報信号の読み書きが可能な位置であり、カートリッジ３１はトレイ（図示せず）により保持されている。カートリッジ３１の挿入後は、カートリッジ３１の開口部３を塞ぐシャッター（図示せず）がスライドして、開口部３が開口される。
【００２５】
図２は、比較例に係るカートリッジ３１の平面図であり、開口部３を説明する図である。図２の斜線部が開口部３である。図２は、シャッター１３（図４）の図示を省略しているが、トレイから取り外したカートリッジの単体の状態では、開口部３はシャッター１３で覆われていることになる。
【００２６】
ここで、図１において、光ピックアップ１０は、トラバースベース８に備えたシャフト７に沿って、ディスク２の内周と外周との間を移動して、ディスク２の情報信号を読み書きすることになる、この際、図２の開口部３にディスク２が露出していることになる。
【００２７】
図３は、図２と同様に、比較例に係るカートリッジ３１の開口部３の開放状態を示した平面図である。ディスク端部１１は、開口部３が開放状態のときの、露出したディスク２の外周部を示している。
【００２８】
図４は、比較例に係るカートリッジ３１の斜視図である。カートリッジ３１のシャッター１３は、ケース４が有する４つの側面のうち最も開口部３に近接する側面に沿ってスライドする。
【００２９】
また、図５は、別の比較例に係るカートリッジ３２の斜視図である。図５に示したカートリッジ３２は、シャッター１３が開口部３を有する面でスライドと回転をしながら開口部３を開放する構造である。
【００３０】
図４及び図５のいずれにおいても、光学基台１９に備えた半導体レーザ素子１６から照射されたレーザ光１５は、立ち上げミラー１８、アクチュエータ１７の対物レンズ１４等の光学部品を通過してディスク２の記録面で信号の読み書きを行ない。このため、ディスク２の信号の読み書きの際には、カートリッジの開口部３はレーザ光３が通過するために開放されていなければならない。
【００３１】
図６は、比較例に係るカートリッジの一例を示す斜視図である。開口部端部２０は、ケース４のうち、ディスク端部１１に対向した内周面を持つ部分である。開口部端部２０は、光ピックアップ１０のアクチュエータ１７と接触しないように、ケース４の開口部３の形成面より窪んだ位置に形成されている。
【００３２】
図７は、比較例に係るディスクカートリッジにおいて、空気流れを説明する断面図である。図７は、図６のＡＡ線における断面図に相当し、光ピックアップ１０も追加して図示している。
【００３３】
スピンドルモータ９（図１）の回転によって、ディスク２表面近傍の空気が流動し、旋回流が発生する。この旋回流の流動方向は、ディスク２外周の接線方向であり、かつディスク２の回転方向である（図２２の矢印２７参照）。すなわち、旋回流はディスク２の回転方向に流動しつつ、ケース４の外側に流動することになる。
【００３４】
図７の空気流れ２２及び空気流れ２３は、旋回流の空気流れを示している。図７の図示では、空気流れは、ケース４の外側に向かっているが、前記のように実際には、ケース４の外側に向かいつつ、ディスク２の回転方向にも流動していることになる。
【００３５】
旋回流は、開口部端部２０の下面に沿ってカートリッジの外部に移動する空気流れ２３と、開口部端部２０の内周面２１に当たり光ピックアップ１０方向に移動する空気流れ２２とに分かれる。
【００３６】
なお、空気流れ２２、２３の図示は、２種類の空気流れが最終的に向かう方向を示すためのものであり、途中の流動経路は簡略化して図示している。このことは以下の各図においても同様である。
【００３７】
ここで、図７に示したように、比較例に係るディスクカートリッジの開口部端部２０の幅Ａは、ケース４の幅Ｂより小さい。このため、開口部端部２０の内周面２１の面積は、開口部端部２０の幅Ａがケース４の幅Ｂと同等である場合の開口部端部２０の内周面２１の面積と比べると小さい。
【００３８】
この構成は、開口部端部２０の内周面２１の面積が小さくなるため、開口部端部２０に当たり光ピックアップ１０方向に移動する空気が減少するので、光ピックアップ１０の発熱部の冷却には不利になる。
【００３９】
以下、本発明の一実施の形態について、図８から図２１を参照しながら説明する。なお、詳細は以下に説明するように、各実施の形態は、ケース４の開口部端部２０の形状に特徴がある。前記の比較例についての説明は、開口部端部２０以外のカートリッジの構成や、ディスクドライブの構成については、以下の各実施の形態においても、同様である。
【００４０】
（実施の形態１）
図８は、実施の形態１に係るカートリッジの斜視図である。図９は、実施の形態１に係るカートリッジ１の空気流れを説明する断面図である。図９は、図８のＢＢ線における断面図に相当し、光ピックアップ１０も追加して図示している。
【００４１】
以下の説明において、ディスク２の両面に対向するケース４の両面間の方向を高さ方向とする。ケース４の開口部端部２０は、突起部２４を備えている。突起部２４は、高さ方向に突出しており、開口部端部２０の内周面の高さを高くしている。このため、開口部端部２０の内周面２１の面積が、図７に示した比較例に比べ大きくなる。
【００４２】
このことにより、ディスク２の回転によって発生した旋回流が当たる面積も大きくなる。すなわち、開口部端部２０の内周面２１で反射して光ピックアップ１０方向に移動する空気量も、図７の構成と比較すると増加し、光ピックアップ１０の冷却効果も向上することになる。
【００４３】
また、突起部２４の高さが大きい程、光ピックアップ１０の冷却効果は向上するので、突起部２４は高さ方向において、ケース４の開口部３の形成面と略一致する位置まで突出していることが好ましい。
【００４４】
（実施の形態２）
図１０は、実施の形態２に係るカートリッジ１の斜視図である。図１１は、実施の形態２に係るカートリッジ１における空気流れを説明する断面図である。図１１は、図１０のＣＣ線における断面図に相当し、光ピックアップ１０も追加して図示している。
【００４５】
前記の図９の構成は、突起部２４は、開口部端部２０の内周面２１の高さを高くするように突出しており、突起部２４の内周面が開口部端部２０の内周面２１の一部になっている構成である。
【００４６】
これに対して、図１１の構成は、突起部２４の内周面２１ａは、開口部端部２０の内周面２１よりケース４の外側にある。すなわち、この構成は突起部２４の内周面２１ａと開口部端部２０の内周面２１とが、連続的に繋がった構成ではなく、両内周面２１、２１ａはディスク２の径方向において分離している。
【００４７】
この構成においても、ディスク２の回転によって発生した旋回流が当たる面積も大きくなることには変わりなく、図９の構成と同様に、光ピックアップ１０の発熱部の冷却効果を向上できる。
【００４８】
（実施の形態３）
図１２、図１３は実施の形態３に係るカートリッジの斜視図である。図１２、図１３に示した構成は、図８および図１０の構成において、突起部２４の形成領域を、光ピックアップ１０の移動に伴って光ピックアップ１０が通過する領域２５以外の領域としたものである。より具体的には、突起部２４は、光ピックアップ１０のアクチュエータのレンズ保持部を避けるように配置されている。
【００４９】
この構成は、部分的に突起部２４が形成されていないことになるが、突起部２４により、旋回流が当たる面積を大きくした部分は残っている。このため、この構成においても、光ピックアップ１０の発熱部の冷却効果を向上する効果を発揮させることができる。
【００５０】
（実施の形態４）
図１４は、実施の形態４に係るカートリッジ１の斜視図である。図１５は、実施の形態４に係るカートリッジ１における空気流れを説明する断面図である。図１５は、図１４のＤＤ線における断面図に相当し、光ピックアップ１０も追加して図示している。
【００５１】
図１４、１５の構成は、前記実施の形態１と同様に、突起部２４は、開口部端部２０の内周面２１の面積を大きくするように突出している。図１５に示したように、突起部２４により面積を大きくした開口部端部２０の内周面２１は、傾斜面になっており、この傾斜面は、ケース４の開口部３の形成面側に向かうにつれて、ディスク２の回転中心側に向かうように傾斜している。
【００５２】
図１５に示すように、ディスク２表面から発生した空気流れは突起部２４の内周面２１に当り、光ピックアップ１０方向に空気流れが移動する。突起部２４が傾斜することにより突起部２４の内周面２１に当たる空気流れのうち、光ピックアップ方向に移動する空気流れ２２が増加する。したがって光ピックアップ１０の発熱部の冷却効果も増加する。
【００５３】
図１６は、突起部２４の内周面２１形状の別の例を示している。図１５の突起部２４の内周面２１は平面ではなく、図１６に示したように曲面でもよい。
【００５４】
（実施の形態５）
図１７は、実施の形態５に係るカートリッジ１の斜視図である。図１８は、実施の形態５に係るカートリッジ１における空気流れを説明する断面図である。図１８は、図１７のＥＥ線における断面図に相当し、光ピックアップ１０も追加して図示している。
【００５５】
前記の図１５、１６の構成は、突起部２４は、開口部端部２０の内周面２１の面積を大きくするように突出している構成である。これに対して、図１８の構成は、突起部２４の内周面２１ａは、開口部端部２０の内周面２１よりケース４の外側にある。すなわち、この構成は突起部２４の内周面２１ａと開口部端部２０の内周面２１とが、連続的に繋がった構成ではなく、両内周面２１、２１ａは、ディスク２の径方向において分離している。
【００５６】
この構成においても、図１８に示すように、ディスク２表面から発生した空気流れは突起部２４の内周面２１ａに当り、図１５、１６の構成と同様に、光ピックアップ１０の発熱部の冷却効果を有する。
【００５７】
（実施の形態６）
図１９、図２０は実施の形態６に係るカートリッジの斜視図である。図１９、図２０に示した構成は、図１４および図１７の構成において、突起部２４の形成領域を、光ピックアップ１０の移動に伴って光ピックアップ１０のアクチュエータが通過する領域２５以外の領域としたものである。
【００５８】
この構成は、部分的に突起部２４が形成されていないことになるが、突起部２４により、旋回流が当たる面積を大きくした部分は残っている。このため、この構成においても、光ピックアップ１０の発熱部の冷却効果を向上する効果を発揮させることができる。
【００５９】
（実施の形態７）
図２１は、実施の形態７に係るカートリッジの斜視図である。図２２は、図２１に示したカートリッジにおける平面図である。
【００６０】
図２１の構成は、突起部２４を光ピックアップ１０のアクチュエータが通過する領域２５以外の領域に形成している。
【００６１】
図２２の線２７の矢印で示したように、ディスク２の回転によって発生する旋回流の流動方向は、ディスク２外周の接線方向であり、かつディスク２の回転方向である。線２６は、突起部２４の突出方向を示している。
【００６２】
一方、図２１、図２２において、突起部２４は、ディスク２外周の接線のうちディスク２の回転方向に延びた線２７に略直交する面がある。このことにより、ディスク２の回転によって発生する旋回流の突起部２４に当る量を増加させることができる。このため、光ピックアップ１０方向に移動する空気流れが増加し、光ピックアップ１０の発熱部の冷却効果も増加する。
【００６３】
（実施の形態８）
図２３は、実施の形態８に係るカートリッジ１の斜視図である。図２４は図２３に示したカートリッジ１の平面図である。
【００６４】
開口部端部２０には、ディスク２の回転中心側に向かって、突出した突起部２４が形成されている。図２４において、線２６は突起部２４の突出方向を示している。線２７の矢印は、図２２の線２７の矢印と同様に、ディスク２の回転によって発生する旋回流の流動方向を示している。
【００６５】
突起部２４は、ディスク２外周の接線のうちディスク２の回転方向に延びた線２７に略直交する面がある。
【００６６】
このことにより、ディスク２の回転によって発生する旋回流の突起部２４に当る量を増加させることができる。このため、光ピックアップ１０方向に移動する空気流れが増加し、光ピックアップ１０の発熱部の冷却効果も増加する。
【００６７】
なお、前記各実施の形態においては、開口部３がケース４の両面に形成されている例で説明したが、開口部３がケース４の片面のみに形成されているカートリッジに本発明を適用してもよい。
【産業上の利用可能性】
【００６８】
本発明に係るディスクカートリッジは、簡単な構造で、信号記録再生装置の冷却効果を高めることができるので、磁気ディスク、光ディスク等のディスク状の信号記録媒体を収納するディスクカートリッジに有用である。
【図面の簡単な説明】
【００６９】
【図１】ディスクドライブ内におけるディスクカートリッジの位置を説明する斜視図。
【図２】ディスクカートリッジの開口部を説明する平面図。
【図３】ディスクカートリッジ内のディスクの最外周のうち前記開口部により開放された部分を説明する平面図。
【図４】比較例に係るディスクカートリッジの一例を示す斜視図。
【図５】比較例に係るディスクカートリッジの別の一例を示す斜視図。
【図６】比較例に係るディスクカートリッジ単体の一例を示す斜視図。
【図７】図６のＡＡ線における断面図であり、比較例に係るディスクカートリッジの空気流れを説明する断面図。
【図８】本発明の実施の形態１に係るディスクカートリッジの斜視図。
【図９】図８のＢＢ線における断面図であり、実施の形態１に係るディスクカートリッジの空気流れを説明する断面図。
【図１０】本発明の実施の形態２に係るディスクカートリッジの斜視図。
【図１１】図１０のＣＣ線における断面図であり、実施の形態２に係るディスクカートリッジの空気流れを説明する断面図。
【図１２】本発明の実施の形態３に係るディスクカートリッジの斜視図。
【図１３】本発明の実施の形態３の別の例に係るディスクカートリッジの斜視図。
【図１４】本発明の実施の形態４に係るディスクカートリッジの斜視図。
【図１５】図１５のＤＤ線における断面図であり、実施の形態４に係るディスクカートリッジの空気流れを説明する断面図。
【図１６】本発明の実施の形態４の別の例に係るディスクカートリッジの空気流れを説明する断面図。
【図１７】本発明の実施の形態５に係るディスクカートリッジの斜視図。
【図１８】図１６のＥＥ線における断面図であり、実施の形態５に係るディスクカートリッジの空気流れを説明する断面図。
【図１９】本発明の実施の形態６に係るディスクカートリッジの斜視図。
【図２０】本発明の実施の形態６の別の例に係るディスクカートリッジの斜視図。
【図２１】本発明の実施の形態７に係るディスクカートリッジの斜視図。
【図２２】本発明に実施の形態７に係るディスクカートリッジの平面図。
【図２３】本発明の実施の形態８に係るディスクカートリッジの斜視図。
【図２４】本発明に実施の形態８に係るディスクカートリッジの平面図。
【符号の説明】
【００７０】
１  ディスクカートリッジ
２  ディスク
３  開口部
４  カートリッジケース
５  モーターシャフト
６  カートリッジ挿入口
７  シャフト
８  トラバースベース
９  スピンドルモーター
１０  光ピックアップ
１１  ディスク端部
１２  シャッタースライド方向
１３  シャッター
２０  開口部端部
２４  突起部
３０  ディスクドライブ
【図１】
2007095165.tif 000003
【図２】
2007095165.tif 000004
【図３】
2007095165.tif 000005
【図４】
2007095165.tif 000006
【図５】
2007095165.tif 000007
【図６】
2007095165.tif 000008
【図７】
2007095165.tif 000009
【図８】
2007095165.tif 000010
【図９】
2007095165.tif 000011
【図１０】
2007095165.tif 000012
【図１１】
2007095165.tif 000013
【図１２】
2007095165.tif 000014
【図１３】
2007095165.tif 000015
【図１４】
2007095165.tif 000016
【図１５】
2007095165.tif 000017
【図１６】
2007095165.tif 000018
【図１７】
2007095165.tif 000019
【図１８】
2007095165.tif 000020
【図１９】
2007095165.tif 000021
【図２０】
2007095165.tif 000022
【図２１】
2007095165.tif 000023
【図２２】
2007095165.tif 000024
【図２３】
2007095165.tif 000025
【図２４】
2007095165.tif 000026